(57)【要約】      （修正有）【課題】フラワーデザインで使用するワイヤは、屈曲性が要求されていて、例えば、ワイヤを花の茎に沿って取り付けてこれを曲線状にして支える必要がある。【解決手段】ワイヤ２の中間にコイル状に巻く部分を作り、引張ることや押し込むことで伸縮させることを実現する。これにより、多数の花をまとめて凹凸ができても、伸縮させて表面をきれいに並びかえることを可能にする。【選択図】図１
2014212870.tif 000002
【特許請求の範囲】
【請求項１】
フラワーデザインに用いられる屈曲性のある直線状のワイヤであって、その中間に長さ方向に伸縮自在なコイル状部を設けたワイヤ。
【請求項２】
コイル状部は花材に結合する上部に隣接して設けられる、請求項１記載のワイヤ。
【請求項３】
ワイヤの長さ方向の伸縮力を調整するためにワイヤの太さと連係してコイル状部の巻き数を増減できる、請求項１記載のワイヤ。
【請求項４】
ワイヤの横方向の揺れの程度を調整するためにワイヤの太さと連係してコイル状部の巻き数を増減できる、請求項１記載のワイヤ。
【請求項５】
少なくとも３本の長さの異なるワイヤであって屈曲性を有し、中間に長さ方向に伸縮可能なコイル状部を有し、最も長いワイヤを中心に下部を土台に固定した、生け花補助具。
【発明の詳細な説明】
【技術分野】
【０００１】
本発明は、生花、コーティングフラワー，プリザーブドフラワー、アートフラワー等の自然ないし人工の花材を利用したフラワーデザインによる装飾造形品の制作、とくに、制作の際に用いるワイヤリングに関する。
【背景技術】
【０００２】
フラワーデザインの分野で基本的に対象とされるものはアレンジメント、ブーケ、コサージの三つに分類されている。ブーケは結婚式やパーティのレセプションなどで広く使われ、コサージは小さな花束として女性の衣服や身飾りに使われるものとして知られている。ブーケ、コサージ以外はアレンジメントと呼ばれ、器あるいは何らかのファンデーションを用いてデザインされる。
【０００３】
花を基本とした造形作業を行うにあたり、目的の造形品の素材として、花材の他にフローラルテープ、リボン、吸水フォームのようなファンデーションとなるもの、ワイヤ等がしばしば使用される。本発明は新規に開発されたワイヤを提供するものである。
【０００４】
花材としての自然の花、茎、枝、葉など繊細な素材を扱うことから、支えたり補強するためや、形を維持する等のためにワイヤがしばしば用いられる。
【０００５】
フラワーデザインで一般的に使用されるワイヤは＃１８〜＃３０の太さで、番号の大きい程細くなる。ワイヤの太さの選択は、扱う花の大小とか、花の元の茎の弾力性や、デザインの対象である造形の大小乃至形に合うように選ぶことが求められる。
【０００６】
したがって、従来フラワーデザインで使用するワイヤは、屈曲性が要求されていて、例えば、ワイヤを花の茎に沿って取り付けてこれを曲線状にして支えることができる。また、図４のように、花びら数枚をしばって人工的な花を作ることができる。さらに、図５は花の茎にワイヤを刺して小さい花を支えることを示す。図６は茎の長い花と葉の数葉を下方で束ねてまとめることを示す。これらのワイヤは地金で光らないようにフローラルテープでテーピングすることができる。
【０００７】
ワイヤの従来技術は大凡前記のとおりであるが、先行技術文献として次の公開特許公報を挙げる。
【先行技術文献】
【特許文献】
【０００８】
【特許文献１】特開２００６‐９１６４。この文献によれば、花およびグリーンにワイヤーを固定してフローラルテープを巻いたブーケ材を複数用意し、これらブーケ材を仮想軸線に沿って束ねることによってガーランド（花綱）を製作するとの記載が見られる。また、さらに、ワイヤーの太さの選択等により弾性を適宜調整し、美しく揺れるブーケを実現するとある。ワイヤーの構成は本願のものと異なる。
【特許文献２】特開２００６‐１６８０９１。明細書［０００７］項に金属線（コイル状のもの、平らなもの、ねじり合わせたもの等）を単独で用いたり、これらの金属線で葉や花などの形をしたパーツを作成し、これらの金属線又はパーツを木の実、スパイス、パール、造花、ビーズなどと組み合せて作品に取り入れ、室内装飾品などを作る点に特徴がある、との記述がある。しかし、コイル状の金属線が如何なる構成で如何なる効果を生ずるものか、これ以上の説明はなく、図面による表示もなく、不明である。少なくとも、本発明での「コイル状部」とは構成、目的、機能のいずれも異なることは、本発明についての説明と同意義の説明のないことから明らかである。
【発明の概要】
【発明が解決しようとする課題】
【０００９】
フラワーデザインでは、多種で多数の花材および関連する材料、用具、資材を用いて、複雑な手順を経て多くの種類の造形品を作成するものであり、制作者は制作にあたって長年の経験に基づく技術と制作時間が求められる。そこで、可能な限り、制作手順、用具、資材等の簡素化が求められ、しかも優れた品質の製品が提供されることを課題とする。
【課題を解決するための手段】
【００１０】
従来、フラワーデザインでは、ゆるい弾性と屈曲性があり、一定の範囲内で太さの選択が可能な棒状のワイヤが用いられている。もちろん、ワイヤがゆるい弾性と屈曲性を有することは、花や葉の茎に適当な曲線を提供したり、短い茎に人工的な長さを形成したりする用途を満たしてきた。しかし、本発明者は、従来のワイヤでは、長さ方向に対する伸縮性を持たない点を解決するため、ワイヤの中間の一部でワイヤを数回巻かれた部分を設けることを発明した。より精しく表現すると、ワイヤの仮想延長線を中心として、丸い鉛筆の回りを巻くようにワイヤを数回巻いて、巻かれた線の隣接する線と線の間に空間を残して出来る部分ということが出来る。以下、本明細書においてこの部分を「コイル状部」という。コイル状部は、ワイヤの両端を反対方向に引くことによって伸び、反対方向に押し込むことによって縮む。したがって、これをフラワーデザインに応用すると、複数のワイヤの上端を複数の花材に結合して作られた表面の花々が等しく平面（或いは半円形）をなさずに凹凸を示した場合、凹のワイヤ上部を上方に引くか、凸のワイヤを下方に押し込むかして伸縮の調整をすることが出来、これによって等しい平面（或いは半円形）を容易に形成することが出来る。
【００１１】
コイル状部のワイヤの巻き数は、ワイヤの太さと連係してワイヤの長さ方向の伸縮力を調整することが出来る。それと共に、ワイヤ全体の揺れの程度を調整することが出来る。従って、例えば、細目のワイヤ上に設けられたコイル状部は安定したしなやかな揺れを生ずるから、これに支えられた小花や茎や葉にも安定した揺れを与え、より美しい製品の製造に寄与する。
【００１２】
本発明に係るワイヤの上端部は花材に結合する部分であり、コイル状部に隣接する。同端部を花材に結合した後のコイル状部より上方の上部は、その部分のワイヤが光らないようにフローラルテープを巻く。ワイヤ下部は副花材、葉や他の材料が花材の間に収められ外部から隠される。
【００１３】
フラワーデザインのブーケやアレンジメント等で多数の花材を使う造形では、複数のワイヤが用いられることがしばしばある。このようなときに、複数のワイヤであって、図３のようにすべて同じ長さのワイヤで、同じ長さのコイル状部が同じ長さの上部に隣接する。その他、上部の長さの異なるワイヤとか、コイル状部の巻き数の異なるワイヤの組合せがデザインの変化に応じて選択ができる。コイル状部はワイヤの縦方向の伸縮を可能とするばかりでなく、葉柄、枝、その他小花等を差し込み、あるいは蔓または巻きひげをからませることができる。
【００１４】
本発明者は、前記のコイル状部を有するワイヤの発明を基本に、フラワーデザインの造形以外において、室内装飾として花を生ける際の附属品となる生け花補助具を考案した。この補助具は、中間部に前記コイル状部を有する三本のそれぞれ長さの異なるワイヤであって、最も長いワイヤを中心として下部を土台９にまとめて固定したものである。
【００１５】
この補助具８は花瓶や皿状容器等を使用し、容器内の底部に置いて使用する。通常、格別に習いあるいは慣れていない者にとって、花瓶等に花を上手に生けることは決して容易ではない。そこで、少なくとも三本のコイル状部を設けたワイヤを花瓶等の内底に置き、現物の柄のついた生花材、副花材、枝のついた葉など三本を、三本のワイヤの上部を曲げる等して取り付け、必要であればコイル状部の伸縮と、コイル状部の屈曲で枝等の角度を調整して全体のバランスをはかる。このようにして容易に、かつ上手に花を生けることができる。
【発明の効果】
【００１６】
本発明のコイル状部を有するワイヤは、上下方向に伸縮可能である点で効果がある。すなわち、ワイヤ上端に花材が結合されていて、造形の表面に凹凸があるときは、ワイヤの伸縮が容易にでき、きれいに調整できる点で極めて有利である。さらに、コイル状部を持つワイヤは横方向の安定したしなやかな揺れを生じ、より美しい造形品を作ることができる。
【００１７】
また、生け花補助具についての発明においては、素人の一般人にとって花瓶や皿状容器上で花を生ける行為は容易でないところ、三本の長さの異なる補助具で花材を使用するときはワイヤの上部での取り付け、コイル状部の上下の伸縮、ワイヤの屈曲性の取り扱いが容易に出来る点において効果が示されている。
【図面の簡単な説明】
【００１８】
【図１】本発明に係る中間にコイル状部を設けたワイヤの立面図。
【図２】上端を花材に結合したコイル状部を設けたワイヤの立面図。
【図３】複数の同じ形のコイル状部を設けたワイヤ。
【図４】花びらを通常のワイヤで結んだ通常のワイヤ。
【図５】通常のワイヤの茎への刺しどめ。
【図６】通常のワイヤの小枝の巻き止め。
【図７】生け花補助具
【発明を実施するための形態】
【００１９】
出願人は、本発明に係るワイヤを種々の花材を用いてフラワーデザインのいくつかの造形につき実施した。数例を次のとおり述べる。
【実施例１】
【００２０】
花材としてカーネーションの花１０輪を用いて、側面から見て半円形を形成するラウンドブーケの形成を試みた。４輪の花を中心に置くこととし、残りの６輪は花びらに分解し細いワイヤで図４のように１２輪の小花にまとめ中心の花の周囲で、１５枚の椿の葉を広げた上に揃えた。４輪の花材と、１２輪の小花はそれぞれ３ｃｍの上部と１．７ｃｍのコイル状部が隣接するワイヤの上部で図２のように縫いどめし、下部は椿の葉の下方でまとめ（図３）、さらにその下方を曲げてハンドルとした。全体を半円形に揃えるにあたり、コイル状部による伸縮により容易にできた。
【実施例２】
【００２１】
カーネーションの花１５輪のうち、４輪をそのまま使用し、残り１１輪を花びらから２４の小花とし、上を円形、下を二等辺三角形の組合せとするキャスケードブーケの造形にまとめる。４輪の花材は１３の小花と共に上の円形にまとめ、残りを下方三角形にまとめる。２９個の同じ長さのワイヤを使用したが、そのうち４個はワイヤの上部が他のワイヤにおけるよりコイル状部からの間隔を大きくとってあり、これは上方の円形で使った４輪の花の高さが他の小花より大きいことに合わせたためである。また、他のワイヤでの上部の間隔は少しずつ小さくした３つの間隔としたが、下方の逆三角で縦方向に間隔をおいて懸垂形に配置した小花の位置に合わせたことによる。
【符号の説明】
【００２２】
１  ワイヤ
２  ワイヤ
３  （ワイヤの）上部
４  コイル状部
５  （ワイヤの）下部
８  生け花補助具
【図１】
2014212870.tif 000003
【図２】
2014212870.tif 000004
【図３】
2014212870.tif 000005
【図４】
2014212870.tif 000006
【図５】
2014212870.tif 000007
【図６】
2014212870.tif 000008
【図７】
2014212870.tif 000009